(57)【要約】【解決手段】本発明は、回転中心をＸ形状の中心部分と位置合わせされるように、偶数端子および奇数端子が互いに交差し、その接続部分が交互に形成されるフレキシブルケーブル用コネクタに関する。端子の操作部分は、回転開始区域および回転停止区域に分割される。回転開始区域の凹部分は深く形成されるが、回転停止区域の凹部分は比較的浅く形成される。ストッパ（突起）は、９０度の回転で回転体が回転停止区域に係合した後に接触圧力が低下しないように構成される。したがって、本発明において、偶数端子および奇数端子の回転中心は同一なので、同一の回転力によって同一の接触圧力が作られ、複数の端子の偶数端子および奇数端子とＦＰＣ／ＦＦＣとの間の接触圧力に違いがないので、これらは同一の接触信頼性を有することができる。操作部分の回転開始区域の凹部分は、アクチュエータの回転が約９０度までとなるように深く形成されるので、製造プロセスの間、作業者はアクチュエータを手で容易に閉じることができ、製造プロセスにおいて、作業者によってアクチュエータの回転が終了される位置で接触圧力は最大となり、ストッパは、接触圧力が最大に保たれるように回転終了後の接触圧力の低下を防ぐ。さらに、「Ｘ形状で互いに交差する」構造によってＦＰＣ／ＦＦＣを最大限まで深く挿入することができるので、製品を細くすることができる。【選択図】図３ｂ
2011522367.tif 000002
【特許請求の範囲】
【請求項１】
プリント回路基板上に固定され、且つフレキシブルプリント基板（ＦＰＣ）／フレキシブルフラットケーブル（ＦＦＣ）が挿入され結合される孔を備えるハウジング（１２０）と、
１つの方向で該ハウジング（１２０）の挿入スペースに挿入され且つ複数の線状に配列される偶数端子（１３０）と、
該偶数端子（１３０）の間に配置された奇数端子（１４０）と、
前記ＦＰＣ／ＦＦＣが前記ハウジング（１２０）に挿入される側とは反対の側に配置され且つ回転することにより前記ＦＰＣ／ＦＦＣを前記端子の間に加圧し固定する回転体（１１２）を備えるアクチュエータ（１１０）とを備え、
前記偶数端子（１３０）の接続部分（１３３）は、１つの方向に傾斜する形で、ベース部分（１３１）を加圧部分（１３４）に接続し、前記奇数端子（１４０）の接続部分（１４３）は、前記偶数端子（１３０）の前記接続部分（１３３）の前記傾斜する形に対称的に配置され、前記接続部分（１３３および１４３）は同一の接触圧力を有するために「Ｘ」形状で互いに交差する、
フレキシブルケーブル用コネクタ。
【請求項２】
前記偶数端子（１３０）の操作部分（１３５）は、回転開始区域（１３５ａ）および回転停止区域（１３５ｃ）を備え、前記回転開始区域（１３５ａ）は、前記アクチュエータ（１１０）の前記回転体（１１２）に軽く係合するための深い凹部分を備え、境界突起（１３５ｂ）が前記回転開始区域（１３５ａ）と前記回転停止区域（１３５ｃ）との間に配置され、
前記奇数端子（１４０）の操作部分（１４５）は、回転開始区域（１４５ａ）および回転停止区域（１４５ｃ）を備え、前記回転開始区域（１４５ａ）は、前記アクチュエータ（１１０）の前記回転体（１１２）と軽く係合するための深い凹部分を備え、境界突起（１４５ｂ）が前記回転開始区域（１４５ａ）と前記回転停止区域（１４５ｃ）との間に配置される、
請求項１に記載のコネクタ。
【請求項３】
前記回転停止区域（１３５ｃ）は、該回転停止区域（１３５ｃ）において接触圧力が最大となるよう、前記回転開始区域（１３５ａ）の前記凹部分よりも浅い凹部分を備え、前記回転停止区域（１４５ｃ）は、該回転停止区域（１４５ｃ）において接触圧力が最大となるよう、前記回転開始区域（１４５ａ）の前記凹部分よりも浅い凹部分を備え、
前記回転体（１１２）は、前記偶数端子（１３０）の前記操作部分（１３５）の延長部に提供されたストッパ（１３５ｄ）により、前記ベース部分（１３１）の延長部に提供されたストッパ（１３２ａ）により、および前記境界突起（１３５ｂ）により、前記接触圧力を有するよう、前記回転体（１１２）が前記回転停止区域（１３５ｃ）まで回転した後でスライドすることによる接触圧力の低下を防ぐために、固定される、
請求項２に記載のコネクタ。
【発明の詳細な説明】
【技術分野】
【０００１】
本開示は、フレキシブルケーブル用コネクタに関し、さらに詳細には、フレキシブルケーブル用バックフリップタイプコネクタに関する。なお、このコネクタにおいては、偶数端子のおよび奇数端子の接続部分が互いに交差し、その結果、フレキシブルプリント回路／フレキシブルフラットケーブルと端子との間の接触信頼性が改善され、最大接触圧力が維持される。
【背景技術】
【０００２】
フレキシブルケーブルは、本開示において、いわゆるフレキシブルプリント回路（ＦＰＣ：ｆｌｅｘｉｂｌｅ  ｐｒｉｎｔｅｄ  ｃｉｒｃｕｉｔ）およびフレキシブルフラットケーブル（ＦＦＣ：ｆｌｅｘｉｂｌｅ  ｆｌａｔ  ｃａｂｌｅ）を含み、接触圧力は、端子の加圧突起および接触突起がＦＰＣ／ＦＦＣと接触する点における圧力のことである。従来の技術のフレキシブルケーブル用コネクタにおいては、回転体を有するアクチュエータは、ＦＰＣ／ＦＦＣが挿入される方向に沿って、該コネクタの前方側に配置される。しかし、さらに近年においては、バックフリップタイプコネクタが広く用いられている。なお、このバックフリップタイプコネクタは、コネクタの厚みを低減し作業性を改善するために、コネクタの回転体が、従来の技術による正回転に対して逆向きに回転する。特に、係るバックフリップタイプコネクタは、製品の厚みを低減するために、Ｈビーム形状の端子を使用するので、接触を駆動する機構が簡単となり、該端子は、回転体の動作により、効率的に上下に動かされる。このように、Ｈビーム形状の端子を有するバックフリップタイプコネクタが一般に用いられている。図１Ａ〜図１Ｃは、バックフリップタイプコネクタ１を示す断面図、概略図、および従来の技術に係るアクチュエータ１０の回転による接触圧力を示すグラフを含む。コネクタ１は、ハウジング１２と、ＦＰＣ／ＦＦＣ１５に電気的に接続するためにハウジング１２に挿入される端子１１と、端子１１に係合し且つ回転することにより端子１１をＦＰＣ／ＦＦＣ１５に接触させるアクチュエータ１０とを備える。アクチュエータ１０が矢印の方向に回転すると、アクチュエータ１０と係合する操作部分１３が持ち上げられる。すると、後方側に配置されて操作部分１３に接続された加圧部分１４は、下方に押され、ハウジング１２に挿入されたＦＰＣ／ＦＦＣ１５と接触する。
【０００３】
アクチュエータ１０が回転したときのＦＰＣ／ＦＦＣ１５と加圧部分１１との間の接触圧力を増すために、回転可能な回転体１０ａは、３つの表面Ｌ１、Ｌ２、およびＬ３に分割される。アクチュエータ１０の中心と表面Ｌ１、Ｌ２、およびＬ３との間の距離は、Ｌ１＜Ｌ２＜Ｌ３という条件を満たす。
【０００４】
アクチュエータ１０が開状態から閉状態へと矢印の方向に回転すると、最初に表面Ｌ１がハウジング１２と接触する。アクチュエータ１０がさらに継続して回転し、表面Ｌ３を通って表面Ｌ２に到着すると、アクチュエータ１０は停止し、加圧部分１４をＦＰＣ／ＦＦＣ１５に接触させる。しかし、ＦＰＣ／ＦＦＣ１５と加圧部分１４との間の接触圧力は、アクチュエータ１０が停止する表面Ｌ２においてではなく、アクチュエータ１０が回転する表面Ｌ３において最高となるため、接触圧力はアクチュエータ１０が停止する表面Ｌ２において低下してしまう。したがって、ＦＰＣ／ＦＦＣ１５をコネクタ１の端子１１に確実に接続することが困難となり、接触信頼性が低下してしまう。
【０００５】
加えて、アクチュエータ１０が回転すると、表面Ｌ１から表面Ｌ３の全表面が端子１１の操作部分１３およびハウジング１２に接触する。したがって、アクチュエータ１０が回転すると、アクチュエータ１０は、表面Ｌ１から表面Ｌ３に沿ってハウジング１２を連続的に加圧し、ハウジング１２および操作部分１３は、操作部分１３を持ち上げる力と逆の力をアクチュエータ１０に対して印加する。したがって、ハウジング１２および操作部分１３との摩擦力が増大し、アクチュエータ１０を回転させるために大きな力が要求される。現在、大規模ディスプレイ（例えば、フラットパネルディスプレイ）に適用されるコネクタは、およそ５０本〜２００本のピンを備え、大規模液晶ディスプレイテレビはおよそ６本〜８本のコネクタを備え、その各コネクタは１２８本またはそれ以上の本数のピンを備える。通常、１日に数百の製品を製造するために用いられる製造プロセスにおいて、多数のアクチュエータを大きな力で回転させることが必要となり、その結果、作業性および作業負荷が低下してしまう。
【０００６】
図２Ａおよび図２Ｂは、従来の技術に係る、フレキシブルケーブル用のコネクタ２を示す断面図である。なお、このコネクタ２は、ＦＰＣ／ＦＦＣ１５と第１端子２２および第２端子２３との間の接触エリアを増大させ、安定した結合を達成する。コネクタ２は、ハウジング２４と、ＦＰＣ／ＦＦＣ１５に電気的に接続されるために１つの方向でハウジング２４に挿入される第１端子２２と、その逆方向で挿入される第２端子と、第１端子２２および第２端子２３と係合し、且つ回転することにより第１端子２２および第２端子２３をＦＰＣ／ＦＦＣ１５に接触させるアクチュエータ２１とを備える。第１端子２２の加圧部分２５が第２端子２３の加圧部分２７から距離Ｌ４だけ離間しているために、第１端子２２および第２端子２３とＦＰＣ／ＦＦＣとの間の接触エリアは増加して、安定した結合が達成される。一方、アクチュエータ２１の回転により回転させられる、第１端子２２の中心軸２６および第２端子２３の中心軸２８は、互いから距離Ｌ５だけ離間する。したがって、アクチュエータ２１の回転により回転させられる第１端子２２のおよび第２端子２３の回転中心が互いに異なるため、第１端子２２および第２端子２３の接触圧力は互いに異なり、接触信頼性が低下してしまう。上述のように、端子の長さが異なり且つ中心軸の位置が異なることによる接触信頼性の悪化を補償するために、アクチュエータの中心軸と端子接続部分の比率とを調整して接触信頼性を改善する研究を行った。しかし、ＦＰＣ／ＦＦＣ１５は、その線まで挿入されるＦＰＣ停止線が所定の軸に固定され、アクチュエータの回転を制限する構造体は、異なった長さを有する端子に対して同一の運動量を供給することが要求されるため、製品の長さが増加してしまう。したがって、製品を小型化し材料コストを低減することは、困難である。加えて、最大負荷が印加される位置を通過してアクチュエータが回転し閉状態に達する際の接触圧力の低下が、依然として存在する。
【発明の概要】
【発明が解決しようとする課題】
【０００７】
本開示は、従来の技術に関する上述の諸問題を解決するための努力である。本開示の１つの目的は、フレキシブルケーブル用コネクタを提供することである。なお、このコネクタは、接触信頼性を確保するために同一の接触圧力を有する異なる接触点を有する端子を含み、アクチュエータの操作が完了した位置において最大接触圧力を有し、該アクチュエータの操作が完了した後の正確な逆回転スライドを防止し、且つ、薄い構造を有するものである。
【課題を解決するための手段】
【０００８】
１つの実施形態において、フレキシブルケーブル用コネクタは、プリント回路上に固定され且つＦＰＣ／ＦＦＣが挿入され結合される孔を備えるハウジングと、１つの方向でハウジングの挿入スペースに挿入され且つ複数の線状に配列される偶数端子と、偶数端子の間に配置される奇数端子と、ＦＰＣ／ＦＦＣが該ハウジングに挿入される側と反対の側に配置され且つ回転してＦＰＣ／ＦＦＣをそれらの端子の間に加圧し固定するアクチュエータとを備える。なおこのコネクタにおいて、偶数端子の接続部分は、１つの方向に傾斜する形で、ベース部分を加圧部分に接続し、奇数端子の接続部分は、偶数端子の接続部分が傾斜する形に対して対称的に配置され、これら接続部分は「Ｘ」形状で互いに交差する。
【０００９】
該偶数端子の操作部分は、回転開始区域および回転停止区域を備えてもよく、該回転開始区域は、該アクチュエータの回転体と軽く係合するために深い凹部分を含んでもよく、境界突起が該回転開始区域と該回転停止区域との間に配置されてもよい。該奇数端子の操作部分は、回転開始区域および回転停止区域を備えてもよく、該回転開始区域は該アクチュエータの回転体と軽く係合するために深い凹部分を備えてもよく、境界突起が該回転開始区域と該回転停止区域との間に配置されてもよい。
【００１０】
該回転停止区域は、該回転停止区域において接触圧力が最大となるよう、該回転開始区域の凹部分よりも浅い凹部分を備えてもよく、該回転停止区域は、該回転停止区域において接触圧力が最大となるよう、該回転開始区域の凹部分よりも浅い凹部分を備えてもよい。該回転体は、接触圧力が最大となるよう、該回転体が回転停止区域まで回転した後のスライドにより生じる接触圧力の低下を防ぐために、該偶数端子の操作部分の延長に提供されたストッパにより、該ベース部分の延長に提供されたストッパにより、および該境界突起により、固定されてもよい。
【００１１】
本開示によれば、第１端子のおよび第２端子の接続部分は、交互に互いに交差し、同一量の回転による接触圧力が同一となるよう、同一の回転中心を有する。その結果、ＦＰＣ／ＦＦＣとそれらの端子との間の接触信頼性が同一となる。したがって、該コネクタを小型化するためには、該中心軸を移動させる必要はない。加えて、該操作部分の回転開始区域の凹部分は、該アクチュエータの回転が約９０度までとなるような深さを有し、作業者は製造プロセスにおいて該アクチュエータを閉状態へと容易に回転させることができる。特に、該アクチュエータの回転終了位置において該接触圧力は最大となり、ストッパは、該アクチュエータの回転終了後の該接触圧力の低下を防ぐ。それにより、接触圧力は最大に保たれる。
【図面の簡単な説明】
【００１２】
【図１】従来の技術に係る、フレキシブルケーブル用コネクタを示す概略図と、アクチュエータの回転による接触圧力の低下を示すグラフである。
【図２】従来の技術に係る、第１端子のおよび第２端子の中心軸からの接触距離を示す断面図である。
【図３ａ−３ｂ】フレキシブルケーブル用コネクタを示す斜視図および分解斜視図である。
【図４】フレキシブルケーブル用コネクタのハウジングを示す斜視図および背面図である。
【図５】端子が挿入される部品を備える、フレキシブルケーブル用コネクタのハウジングを示す断面図である。
【図６】フレキシブルケーブル用コネクタの偶数端子を示す斜視図、およびアクチュエータに結合されたハウジングを示す断面図である。
【図７】フレキシブルケーブル用コネクタの奇数端子を示す斜視図、およびアクチュエータに結合されたハウジングを示す断面図である。
【図８】アクチュエータを示す斜視図および断面図である。
【図９ａ−９ｂ】回転体を回転させるとき「Ｘ」形状で互いに交差する偶数端子および奇数端子を示す断面図、およびＦＰＣがそれらの端子への接触表面にそって挿入される状態を示す断面図である。
【図１０】端子の操作部分を示す側面図である。
【図１１】操作部分の回転開始区域が回転体と係合する動作を示す概略図である。
【図１２】操作部分の回転停止区域が回転体と係合する動作を示す概略図である。
【発明を実施するための形態】
【００１３】
以後、本開示の例示的な実施形態が、添付の図面を参照しながら、説明される。
【００１４】
図３Ａおよび図３Ｂは、フレキシブルケーブル用コネクタを示す斜視図および分解斜視図である。当該コネクタは、ハウジング１２０（プリント回路基板上に固定され且つＦＰＣ／ＦＦＣに接続される）と、偶数端子１３０（１つの方向でハウジング１２０の挿入スペースに挿入され且つ複数の線状に配列される）と、奇数端子１４０（偶数端子１３０の間に配置される）と、アクチュエータ１１０（ＦＰＣ／ＦＦＣがハウジング１２０に挿入される側と反対の側に配置され且つ回転してＦＰＣ／ＦＦＣを端子１３０の間におよび端子１４０の間に加圧し固定する）とを備える。
【００１５】
まず、端子１３０および端子１４０の結合方向がこれから説明される。偶数端子１３０は、図面の右側から左側へと、ハウジング１２０に挿入され、奇数端子１４０は、左側から右側へと、ハウジング１２０に挿入される。しかし、結合方向はこれに限定されない。説明の簡略のために、アクチュエータ１１０の基本的構造が説明される。アクチュエータ１１０は、端子１３０におよび端子１４０に結合された回転体１１２を備える。アクチュエータ１１０は、端子１３０および端子１４０がＦＰＣ／ＦＦＣを固定しＦＰＣ／ＦＦＣに電気的に接触するよう、回転して回転体１１２を端子１３０および端子１４０と係合させる。
【００１６】
図４および図５は、フレキシブルケーブル用コネクタのハウジング１２０を示す斜視図および背面図を示し、端子１３０および端子１４０が挿入される部品を示す断面図を示している。ハウジング１２０は、好ましくは、合成樹脂から形成され、一般に、平坦な六面体構造を有する。ＦＰＣ／ＦＦＣの１つの端部が着脱可能に取り付けられる受容スロット１２１は、ハウジング１２０の後方側に配置される。偶数端子１３０および奇数端子１４０がそれぞれ挿入され固定される複数の端子挿入部分１２２および１２３は、交互に且つ前後方向に対称的に、ハウジング１２０の前方側および後方側に配置される。
【００１７】
端子１３０および端子１４０が挿入されるハウジング１２０の内側は、挿入された偶数端子１３０の前方部分に対応する円形位置決め孔１２３と、固定孔１２４が提供される。奇数端子１４０が挿入される部分は、奇数端子１４０の挿入後に奇数端子１４０の分離を防ぐストッパ１２５を備える。
【００１８】
図６Ａおよび図６Ｂは、偶数端子１３０を示す斜視図、およびアクチュエータ１１０に結合されたハウジング１１０を示す断面図である。偶数端子１３０は、ハウジング１２０から離間して、アクチュエータ１１０およびＦＰＣ／ＦＦＣを固定し、電気接続部材として機能する。偶数端子１３０は、ベース部分１３１と、加圧部分１３４（ベース部分１３１に対して平行に延長し且つ下部端部に加圧突起１３４ａを備える）と、操作部分１３５（加圧部分１３４と反対に延長し且つ接続部分１３３を変形するための力を受容する）とを備える。なお、偶数端子１３０において、接続部分１３３は加圧部分１３４をベース部分１３１に接続する。
【００１９】
ベース部分１３１の前方側（図面の左側）に、ハウジング１２０の下部表面に提供された位置決め孔１２３上に配置されるための円形要素１３１ｂが提供される。ベース部分１３１の前方上部端部は、ＦＰＣ／ＦＦＣに電気的に接続される接続突起１３１ａを備える。ベース部分１３１の後方側は、溶接部分１３２（延長し、端子１３０をプリント回路基板（ＰＣＢ：ｐｒｉｎｔｅｄ  ｃｉｒｃｕｉｔ  ｂｏａｒｄ）に固定するために、ＰＣＢに溶接される）と、ストッパ１３２ａ（アクチュエータ１１０の回転体１１２が回転して端子１３０から分離されることを防ぎ、接触圧力を最大に保つ）とを備える。ストッパ１３２ａは、最大接触圧力を維持するよう構成され、台形であってもよいが、台形に限定されるわけではない。
【００２０】
接続部分１３３は、ベース部分１３１から延長する垂直線に対して、図面の左側に向かって傾斜し、その結果、「＼」のような形状が形成される。操作部分１３５が持ち上げられると、接続部分１３３は曲げられ、その結果、操作部分１３５から延長する加圧部分１３４は反時計方向に回転して、ＦＰＣ／ＦＦＣを固定する。接続部分１３３がベース部分１３１に接続される部分と、接続部分１３３が加圧部分１３４に接続される部分は、接続部分の中央部分よりも厚いため、変形時には接続部分１３３が弾性力を最大に受容する。ベース部分１３１に接続される接続部分１３３の両側は、くぼみ１３１ｃを備え、それにより、接続部分１３３とベース部分１３１との間の部分に作用するモーメントに起因する応力集中が防がれ、変形時に力が効果的に分散される。
【００２１】
加圧部分１３４の端部に配置された下部表面は、ＦＰＣ／ＦＦＣと接触する加圧突起１３４ａを備えている。したがって、操作部分１３５が加圧部分１３４を反時計方向に回転させると、ＦＰＣ／ＦＦＣは接続突起１３１ａと十分に接触し、ベース部分１３１の接続突起１３１ａとＦＰＣ／ＦＦＣとの間の接触圧力が最大となる。
【００２２】
アクチュエータ１１０の回転体１１２と係合する、操作部分１３５の区域は、回転開始区域１３５ａと回転停止区域１３５ｃとを含む。操作部分１３５の後方側は、ストッパ１３５ｄを備えている。操作部分１３５は、加圧部分１３４に対して平行に延長する。
【００２３】
図７Ａおよび図７Ｂは、奇数端子１４０を示す斜視図、およびアクチュエータ１１０に結合されたハウジング１２０を示す断面図である。奇数端子１４０は、ベース部分１４１と、加圧部分１４４（ベース部分１４１に傾斜的に接続され且つその前方端部に加圧突起１４４ａを備える）と、接続部分１４３（加圧部分１４４が接続部分１４３に接続される部分は、ベース部分１４１が接続部分１４３に接続される部分に対して、図面の右側に配置され、その結果、接続部分１４３は、対称的に且つ傾斜的に、偶数端子１３０の接続部分１３３と交差する）と、加圧部分１４４の逆側に延長し且つ接続部分１４３を変形させる力を受容する操作部分１４５とを備える。
【００２４】
ベース部分１４１は、ベース部分１４１の前方側に配置され且つＰＣＢに結合される溶接部分１４２と、ＦＰＣ／ＦＦＣに電気的に接続される接続突起部分１４２ａとを備える。接続部分１４３に接続される部分は、くぼみ１４１ｃを備え、それにより、接続部分１４３とベース部分１４１との間の部分に作用するモーメントに起因する応力集中が防がれ、変形時に力が効果的に分散される。ベース部分１４１の後方側に、端子１４０が後方側（図面の左側）から挿入されると、端子１４０が、ハウジング１２０のストッパ１２５に対して弾性的に嵌るよう、直角三角形の形状を有する突起１４１ｂが提供される。したがって、嵌合爪は必要ではなく、回転体１１２の時計方向の回転により端子１４０を後方側（図面の左側）に押すことが、防止される。
【００２５】
接続部分１４３は上方に延長して「／」形状に右側に傾斜し、接続部分１４３および接続部分１３３の両方は、奇数端子１４０に関して反対方向から交互に挿入され、側面から見ると「Ｘ」形状を形成する。さらに、加圧部分１４４は、水平線状にではなくわずかに湾曲して延長し、加圧部分１３４よりも短い。
【００２６】
図８Ａおよび図８Ｂは、アクチュエータ１１０を示す斜視図および断面図である。アクチュエータ１１０は、偶数端子１３０の操作部分１３５および奇数端子１４０の操作部分１４５の両方と同時に係合する。アクチュエータ１１０は回転すると、操作部分１３５および操作部分１４５を持ち上げ、その結果、ＦＰＣ／ＦＦＣがハウジング１２０の後方側に固定される。アクチュエータ１１０は、操作部分１３５および操作部分１４５と係合して操作部分１３５および操作部分１４５を持ち上げ、その結果ＦＰＣ／ＦＦＣを固定する回転体１１２と、外力により回転体１１２を回転させるために回転体１１２と一体成形された本体１１１とを備える。
【００２７】
回転体１１２は、垂線としての本体１１１に対して約９０度の角度を形成する楕円形構造体である。アクチュエータ１１０が開かれると、回転体１１２は、操作部分１３５および操作部分１４５から離間する。アクチュエータ１１０が回転して閉じられると、回転体１１２は時計方向に回転し、操作部分１３５および操作部分１４５と係合し、その結果、操作部分１３５および操作部分１４５を持ち上げる。回転体１１２と一体成形された本体１１１は、回転体１１２と同じ角度だけ回転し、アクチュエータ１１０の回転を容易にするためのハンドル１１１ａを備える。
【００２８】
図９Ａは、「Ｘ」形状で互いに交差する端子１３０および端子１４０を示す断面図である。図９Ｂは、ＦＰＣ／ＦＦＣ１５が、接触表面に沿って、交差状態にある端子１３０および端子１４０に挿入された状態を示す断面図である。図１０Ａおよび図１０Ｂは、端子１３０および端子１４０を示す側面図である。図１１Ａおよび図１１Ｂは、操作部分１３５の開始区域１３５ａが回転体１１２と係合する動作を示す概略図である。図１２Ａおよび図１２Ｂは、操作部分１３５の停止区域１３５ｃが回転体１１２と係合する動作を示す概略図である。偶数端子１３０の接続部分１３３の上部分は湾曲線状に左側に傾斜し、奇数端子１４０の接続部分１４３の上部分は、ベース部分１４１および接続部分１４３の上方で、湾曲線状に右側に傾斜し、その結果、偶数端子１３０の間に配置された奇数端子１４０の接続部分１４３は、偶数端子１３０の接続部分１３３と対称的に交差する。
【００２９】
偶数端子１３０の操作部分１３５および奇数端子１４０の操作部分１４５は、回転体１１２の回転により同時に回転するよう、交互に且つ連続的に、アクチュエータ１１０の回転体１１２と係合する。したがって、回転体１１２が時計方向に回転すると、回転体１１２と係合する操作部分１３５および操作部分１４５は反時計方向に回転し、その結果、加圧部分１３４および加圧部分１４４も反時計方向に回転する。この場合、偶数端子１３０の加圧部分１３４は奇数端子１４０の加圧部分１４４より長いため、加圧部分１３４は、回転体１１２の回転により、奇数端子１４０の加圧部分１４４に対してＦＰＣ／ＦＦＣ１５の後方側（図面の左側）に接し、その結果、端子１３０および端子１４０は異なる点において接触する。したがって、ＦＰＣ／ＦＦＣ１５の接触エリアが増加し、ＦＰＣ／ＦＦＣ１５とのより安定した結合が達成される。加えて、ＦＰＣ／ＦＦＣ１５は、ＦＰＣ／ＦＦＣ１５および該コネクタの両方の面積を最小化するために、ジグザグ型に作ることができる。
【００３０】
偶数端子１３０の接続支持ベース１３３ａが接続支持ベース１４３ａと異なるのに対して、端子１３０の回転中心は接続部分１３３の中心となる。なぜなら、偶数端子１３０の接続部分１３３が「ｌ」形状ではなく、「＼」のような形状に傾斜しているからである。したがって、偶数端子１３０の回転中心は、接続支持ベース１３３ａの右側に配置される。接続部分１４３も「／」形状に傾斜しているため、その回転中心は接続支持ベース１４３ａの左側に配置される。したがって、接続部分１３３および接続部分１４３が互いに交差する交差点が、端子１３０および端子１４０の両方の回転中心となり、その結果、接続支持ベース１３３ａおよび接続支持ベース１４３ａは互いに異なるが、２つの回転中心は同一となる。
【００３１】
結果として、回転体１１２の回転は、同一のトルクを端子１３０に、および端子１４０に印加し、端子１３０および端子１４０はその回転により同一の運動量を有する。加えて、加圧部分１３４の加圧突起１３４ａおよび加圧突起１４４ａの加圧部分１４４は、挿入されたＦＰＣ／ＦＦＣ１５から同一の高さにおいて互いに平行であるため、回転体１１２は回転して、同一の距離を通って加圧部分１３４および加圧部分１４４に同一の力を印加し、その結果、端子１３０の加圧突起１３４ａおよび端子１４０の加圧突起１４４ａは、ＦＰＣ／ＦＦＣ１５に対して同一の接触力を有する。したがって、接触変動は最小化され、同一の力をもって接触が行われる。その結果、ＦＰＣ／ＦＦＣ１５と端子１３０および端子１４０との間の接触信頼性が改善される。加えて、コネクタを備える製品を小型化するために、接続部分１３３および接続部分１４３は、回転軸の比率および位置を変えることなく同一の接触圧力を維持するために「Ｘ」形状で互いに交差し、ＦＰＣ／ＦＦＣ１５は、図９Ｂに示すＦＰＣ／ＦＦＣ１５が挿入される方向に沿って、端子１３０の接続部分１３３および端子１４０の接続部分１４３のＦＰＣ停止線に達するように挿入されることができる。
【００３２】
アクチュエータ１１０の回転体１１２は楕円形であり、端子１３０の操作部分１３５および端子１４０の操作部分１４５は、回転開始区域１３５ａおよび回転開始区域１４５ａと、停止区域１３５ｃおよび停止区域１４５ｃと、突起１３５ｂおよび突起１４５ｂ（回転開始区域１３５ａおよび回転開始区域１４５ａと回転停止区域１３５ｃおよび回転停止区域１４５ｃとの間に存在する）とを備える。操作部分１３５および操作部分１４５は同一の構成を有するため、偶数端子１３０の操作部分１３５が主に説明される。
【００３３】
回転開始区域１３５ａは、回転体１１２が回転し持ち上げられるとき回転体１１２と係合しないよう、深く且つ緩やかな凹部分を備える。したがって、アクチュエータ１１０が約４５度以内で回転して、回転体１１２を回転させ持ち上げたときでさえも、回転体１１２は、回転開始区域１３５ａの凹部分と係合せず、回転体１１２の回転に要求される力は低減される。回転体１１２が約４５度より大きい角度で回転させられると、回転体１１２は回転開始区域１３５ａの凹部分に軽く係合し回転させられるのみである。しかし該凹部分が深いために、その係合は強くなく、したがって、回転はわずかな力で行われる。したがって、アクチュエータ１１０は、回転体１１２が後述する突起１３５ｂと接する約９０度に達するまで、わずかな力をもって回転させられる。
【００３４】
アクチュエータ１１０が回転させられて約９０度に達すると、回転体１１２は操作部分１３５の境界突起１３５ｂと接触する。境界突起１３５ｂは、回転開始区域１３５ａに比べて突起しているため、回転体１１２が境界突起１３５ｂを通過すると、接続部分１３３の弾性は、回転体１１２を回転停止区域１３５ｃに移動させる。その結果、回転開始区域１３５ａから回転停止区域１３５ｃへと移動することによる接触圧力は連続的ではなく、２つの段階に分割される。
【００３５】
回転停止区域１３５ｃの凹部分は回転開始区域１３５ａの凹部分より浅いため、回転体１１２は回転停止区域１３５ｃの凹部分と強く係合し、その結果、最大の上向きの力が操作部分１３５に印加され、したがって、操作部分１３５から延長する加圧部分１３４に最大の下向きの力が印加される。したがって、加圧部分１３４の加圧突起１３４ａは、ＦＰＣ／ＦＦＣ１５を最大に加圧し、回転停止区域１３５ｃにおいて接触圧力が最大となる。
【００３６】
加えて、回転体１１２が操作部分１３５の回転停止区域１３５ｃに回転して、最大接触圧力が低下するように最大接触圧力が後方または前方にスライドすることを防ぐために、偶数端子１３０の操作部分１３５およびベース部分１３１は、回転体１１２がさらに回転して接触圧力が低下をすることを防ぐためのストッパ１３５ｄおよびストッパ１３２ａを備える。また境界突起１３５ｂは、回転体１１２が後方にスライドし回転体１１２を固定することを防ぎ、その結果、回転体１１２は、意図的に回転体１１２を解放しない限り、回転停止区域１３５ｃの凹部分と堅く接触する。このように、最大の接触圧力が維持される。ストッパ１３２ａは台形であってもよく、回転体１１２をさらに堅く固定するために、ストッパが奇数端子１４０に提供されてもよい。
【００３７】
複数の例示的な実施形態を参照しながら実施形態を説明してきたが、他の多数の変更例、変化例、置き換え、および追加が当業者により考案され得るものであり、これらも以下の請求項の精神および範囲に属するものであることを理解すべきである。
【図１】
2011522367.tif 000003
【図２】
2011522367.tif 000004
【図３ａ】
2011522367.tif 000005
【図３ｂ】
2011522367.tif 000006
【図４（ａ）】
2011522367.tif 000007
【図４（ｂ）】
2011522367.tif 000008
【図５（ａ）】
2011522367.tif 000009
【図５（ｂ）】
2011522367.tif 000010
【図６（ａ）】
2011522367.tif 000011
【図６（ｂ）】
2011522367.tif 000012
【図７（ａ）】
2011522367.tif 000013
【図７（ｂ）】
2011522367.tif 000014
【図８】
2011522367.tif 000015
【図９ａ】
2011522367.tif 000016
【図９ｂ】
2011522367.tif 000017
【図１０（ａ）】
2011522367.tif 000018
【図１０（ｂ）】
2011522367.tif 000019
【図１１（ａ）】
2011522367.tif 000020
【図１１（ｂ）】
2011522367.tif 000021
【図１２（ａ）】
2011522367.tif 000022
【図１２（ｂ）】
2011522367.tif 000023
【国際調査報告】
2011522367.tif 000024
2011522367.tif 000025
2011522367.tif 000026
2011522367.tif 000027